(57)【要約】【課題】照明装置から出力されている照明光の波長を直感的に示す安価な表示装置、リモートコントローラ、及び顕微鏡を提供する。【解決手段】複数の点灯色で点灯可能であり、制御手段６により前記点灯色が制御される点灯手段２０，２１を備えた表示装置であって、照明装置２から出力される照明光の波長と点灯手段２０，２１の点灯色とを関連付ける情報を記憶した記憶部１５の前記情報に基づき、制御手段６により前記照明光の波長に対応した点灯色で点灯手段２０，２１を点灯させることを特徴とする。【選択図】図１
2010020011.tif 000002
【特許請求の範囲】
【請求項１】
複数の点灯色で点灯可能であり、制御手段により前記点灯色が制御される点灯手段を備えた表示装置であって、
照明装置から出力される照明光の波長と前記点灯手段の点灯色とを関連付ける情報を記憶した記憶部の前記情報に基づき、前記制御手段により前記照明光の波長に対応した点灯色で前記点灯手段を点灯させることを特徴とする表示装置。
【請求項２】
前記記憶部に記憶された前記情報は、前記照明装置から出力される照明光の波長と、前記点灯手段が点灯可能な点灯色のうちで前記照明光に近似した点灯色とを関連付けるものであり、
前記制御手段は、前記記憶部の前記情報に基づき、前記照明光に近似した点灯色で前記点灯手段を点灯させることを特徴とする請求項１に記載の表示装置。
【請求項３】
請求項１又は請求項２に記載の表示装置を有することを特徴とするリモートコントローラ。
【請求項４】
請求項３に記載のリモートコントローラを有することを特徴とする顕微鏡。
【請求項５】
請求項１又は請求項２に記載の表示装置を有することを特徴とする顕微鏡。
【発明の詳細な説明】
【技術分野】
【０００１】
本発明は、表示装置、リモートコントローラ、及び顕微鏡に関する。
【背景技術】
【０００２】
従来、顕微鏡に用いられるリモートコントローラとして、照明装置から出力されている照明光の波長を文字列等で表示する液晶等の表示部を備えたものが提案されている（例えば、特許文献１を参照。）。
【特許文献１】特開昭６０−２５８５１３号公報
【発明の開示】
【発明が解決しようとする課題】
【０００３】
しかしながら従来のリモートコントローラは、文字列等の表示から照明光の波長を直感的に確認することが困難であり、また液晶等の表示部を備えることでコストが大きくなってしまうという問題があった。
【０００４】
そこで本発明は上記問題点に鑑みてなされたものであり、照明装置から出力されている照明光の波長を直感的に示す安価な表示装置、リモートコントローラ、及び顕微鏡を提供することを目的とする。
【課題を解決するための手段】
【０００５】
上記課題を解決するために本発明は、
複数の点灯色で点灯可能であり、制御手段により前記点灯色が制御される点灯手段を備えた表示装置であって、
照明装置から出力される照明光の波長と前記点灯手段の点灯色とを関連付ける情報を記憶した記憶部の前記情報に基づき、前記制御手段により前記照明光の波長に対応した点灯色で前記点灯手段を点灯させることを特徴とする表示装置を提供する。
【発明の効果】
【０００６】
本発明によれば、照明装置から出力されている照明光の波長を直感的に示す安価な表示装置、リモートコントローラ、及び顕微鏡を提供することができる。
【発明を実施するための最良の形態】
【０００７】
以下、本発明の各実施形態に係る顕微鏡を添付図面に基づいて説明する。
（第１実施形態）
はじめに、本実施形態に係る顕微鏡の全体的な構成を簡単に説明する。
図１は、本発明の第１実施形態に係る顕微鏡の構成を示す図である。
本実施形態の顕微鏡１は、レーザ走査型の共焦点顕微鏡であって、図１に示すようにレーザ光源２、走査部３、顕微鏡本体４、光検出器５、制御部（ＣＰＵ）６、ＰＣ７、及びリモートコントローラ８を有する。
【０００８】
レーザ光源２は、制御部６からの指示に基づき複数の波長のレーザ光（励起光）を選択的に出力可能なレーザ光源であり、シャッタ２ａを備えている。なお、本実施形態では、４つの波長のレーザ光を出力可能なレーザ光源を採用している。
光走査部３は、光を二次元的に走査するスキャナ９と、ダイクロイックミラー１０と、顕微鏡本体４内の不図示の対物レンズの焦点位置と共役な位置に配置されたピンホール１１とを有し、レーザ光源２が出力したレーザ光を二次元的に走査して顕微鏡本体４へ導くとともに、顕微鏡本体４からの試料の観察光を光検出器５へ導くものである。なお、斯かる光走査部３は、レーザ光源２及び光検出器５と光ファイバ１２ａ，１２ｂを介して接続されている。
顕微鏡本体４は、試料を載置するステージや対物レンズ（いずれも不図示）等を備えた一般的な構成の顕微鏡本体からなる。
【０００９】
光検出器５は、顕微鏡本体４から光走査部３を介して入力された試料の観察光を検出するものであり、ＰＭＴ（Photo Multiplier Tube）が用いられている。
制御部６は、リモートコントローラ８及びレーザ光源２をはじめとする本顕微鏡１の各電動要素を制御するものであり、光検出器５から入力された検出信号を処理する画像処理部１４とメモリ１５とを備えている。
ＰＣ７には、試料の観察画像を表示するモニタ１６が備えられており、使用者は本ＰＣ７を用いて本顕微鏡１の各電動要素を操作することも可能である。
【００１０】
リモートコントローラ８は、使用者が本顕微鏡１の各電動要素を操作するための各種操作スイッチ１８，１９を備えており、これによって例えばレーザ光源２が出力するレーザ光の波長を切り換える指示等を制御部６へ入力すること等が可能である。またこのリモートコントローラ８には、レーザ光源２が出力するレーザ光の波長を表示するための所謂３色ＬＥＤ（Light Emitting Diode）２０，２１が備えられている。この３色ＬＥＤ２０，２１は、それぞれ赤色ＬＥＤ、緑色ＬＥＤ、及び青色ＬＥＤからなりフルカラーでの点灯が可能である。なお、斯かる３色ＬＥＤ２０，２１は、従来のリモートコントローラに備えられた液晶等の表示部に比して安価である。
【００１１】
斯かる構成の本実施形態の顕微鏡１において、レーザ光源２から出力されたレーザ光は、光走査部３を介して顕微鏡本体４へ導かれ、不図示のステージ上の試料に照射される。そしてこれによって試料から発せられた観察光は、光走査部３を介して光検出器５へ入力される。ここで、試料に照射されるレーザ光は、光走査部３内のスキャナ９によって二次元的に走査されるため、光検出器５では試料の観察領域全体にわたって観察光が検出されることとなる。これにより制御部６は、光検出器５から観察光の検出信号を取得し、これに基づいて画像処理部１４が試料の二次元画像を生成しＰＣ７のモニタ１６に表示させる。このようにして本顕微鏡１の使用者は、試料の共焦点画像を観察することが可能となる。
【００１２】
次に、本実施形態に係る顕微鏡１の特徴的な構成について説明する。
上述のように、リモートコントローラ８に備えられた３色ＬＥＤ２０，２１は、レーザ光源２が出力するレーザ光の波長を表示するためのものであり、具体的にはレーザ光源２が現在出力しているレーザ光に近似した色で３色ＬＥＤ２０，２１が点灯することで当該レーザ光の波長を使用者に対して直感的に示すものである。
【００１３】
これを実現するべく本実施形態において制御部６のメモリ１５には、レーザ光源２が出力するレーザ光に近似した色で３色ＬＥＤ２０を点灯させるための３色ＬＥＤ２０の輝度情報（図２に示すようなレーザ光源２から出力されるレーザ光の各波長に対応して設定された、３色ＬＥＤ２０を構成する３色のＬＥＤのそれぞれの輝度）を示すルックアップテーブルが記憶されている。なお、本実施形態のような共焦点顕微鏡等においては図２に示すようなルックアップテーブルがメモリ１５に１つ記憶されていればよいが、照明装置として水銀ランプを用いた蛍光顕微鏡等においては、使用される励起フィルタの数に応じたルックアップテーブルが必要となる。
【００１４】
斯かる構成の下、使用者がリモートコントローラ８やＰＣ７を操作することでレーザ光源２から出力させるレーザ光を選択すると、制御部６は選択されたレーザ光の波長に対応する３色ＬＥＤ２０の輝度情報をメモリ１５のルックアップテーブルから参照する。そして制御部６は、参照した輝度情報に基づいてリモートコントローラ８の３色ＬＥＤ２０を点灯させる。このようにして３色ＬＥＤ２０は、選択されたレーザ光に近似した色で点灯することとなり、当該レーザ光の波長を使用者に対して直感的に示すことが可能となる。
なお、リモートコントローラ８に備えられたもう１つの３色ＬＥＤ２１は、３色ＬＥＤ２０と同様に、上述のルックアップテーブルに基づいて点灯される。このため、本実施形態においてレーザ光源２から２つの波長のレーザ光を同時に出力させる際に、これら２つの波長を３色ＬＥＤ２０と３色ＬＥＤ２１で同時に示すことができる。
【００１５】
以上の第１実施形態によれば、安価かつ簡単な構成で、レーザ光源２から出力されているレーザ光の波長を直感的に示すことが可能なリモートコントローラ８を備えた顕微鏡１を実現することができる。また、３色ＬＥＤ２０，２１の点灯色でレーザ光の波長を示す構成により、使用者はリモートコントローラ８から離れた場所からでもレーザ光の波長を確認することが可能となり、このことは本顕微鏡１を暗室内で使用する場合等に特に有効である。
【００１６】
なお、本実施形態においてレーザ光源２から複数の波長のレーザ光を同時に出力させる場合には、この複数の波長に対応する３色ＬＥＤ２０の輝度情報どうしを加算して平均を求め、これに基づいて３色ＬＥＤ２０を点灯させる構成とすることもできる。これにより、複数の波長のレーザ光を合成した光に近似した色で３色ＬＥＤ２０を点灯させることが可能となる。
また、本実施形態における３色ＬＥＤ２０，２１の一方を用いて、本顕微鏡１の使用状態等を表示する構成とすることもできる。例えば、光走査部３のスキャナ９の駆動時に３色ＬＥＤ２１を点滅させることで当該スキャナ９の駆動状態を示したり、３色ＬＥＤ２１をレーザ光と異なる色で点滅させることで本顕微鏡１に不具合が発生したことを示す構成とすることができる。また例えば、レーザ光源２のシャッタ２ａの開閉状態に基づいて実際にレーザ光が出力されている間だけ３色ＬＥＤ２１を点灯させたり、レーザ光の出力強度を３色ＬＥＤ２１の点滅周期によって示したり、タイムラプス観察等において観察の終了を３色ＬＥＤ２１の点滅によって示す構成とすることもできる。
【００１７】
（第２実施形態）
以下、本実施形態に係る顕微鏡について、上記第１実施形態と同様の部分については同じ符号を付して説明を省略し、異なる部分について詳細に説明する。
図３は、本発明の第２実施形態に係る顕微鏡の構成を示す図である。
本実施形態に係る顕微鏡３０は、上記第１実施形態と同様にレーザ走査型の共焦点顕微鏡であって、図３に示すようにレーザ光源２、光走査部３、顕微鏡本体３１、光検出器５、ＰＣ７、及びリモートコントローラ８を有する。
【００１８】
本実施形態における顕微鏡本体３１は、上記第１実施形態における顕微鏡本体４と同様に、試料を載置するステージや対物レンズ（いずれも不図示）等の一般的な顕微鏡本体の構成を備えている。そして顕微鏡本体３１は、リモートコントローラ８やレーザ光源２をはじめとする本顕微鏡３０の各電動要素を制御するＣＰＵ３２と、上記第１実施形態と同様の３色ＬＥＤ３３，３４とをさらに備えている。ＣＰＵ３２は、上記第１実施形態と同様の画像処理部とルックアップテーブルを記憶したメモリ（いずれも不図示）とを備えており、上記第１実施形態における制御部６と同様の機能を有している。なお、顕微鏡本体３１における３色ＬＥＤ３３，３４の設置位置は、本顕微鏡３１の操作や試料の観察の邪魔とならない位置（例えば、顕微鏡本体３１に設けられた不図示の操作部材の周辺等）であればよい。
【００１９】
斯かる構成の下、使用者がリモートコントローラ８やＰＣ７を操作することでレーザ光源２から出力させるレーザ光を選択すると、顕微鏡本体３１のＣＰＵ３２は選択されたレーザ光の波長に対応する３色ＬＥＤ３３の輝度情報をＣＰＵ３２のメモリに記憶されているルックアップテーブルから参照する。そしてＣＰＵ３２は、参照した輝度情報に基づいて顕微鏡本体３１の３色ＬＥＤ３３を点灯させる。このようにして３色ＬＥＤ３３は、選択されたレーザ光に近似した色で点灯することとなり、当該レーザ光の波長を使用者に対して直感的に示すことが可能となる。なお、以上のことは３色ＬＥＤ３４についても同様である。
【００２０】
以上の第２実施形態によれば、上記第１実施形態と同様に、安価かつ簡単な構成で、レーザ光源２から出力されているレーザ光の波長を直感的に示すことが可能な顕微鏡本体３１を備えた顕微鏡３０を実現することができる。
【００２１】
なお、上記各実施形態では、レーザ光源２から出力されているレーザ光の波長を直感的に示すための３色ＬＥＤ２０，２１（３３，３４）がリモートコントローラ８や顕微鏡本体３１に組み込まれた例を示している。しかしながら本発明はこれに限られず、３色ＬＥＤ２０，２１（３３，３４）を独立して備えた表示装置、或いはこの表示装置に上述のルックアップテーブルを記憶したメモリを含むＣＰＵをさらに備えた構成とすることもできる。
また、上記各実施形態では、レーザ光源２が出力するレーザ光に近似した色で３色ＬＥＤ２０，２１（３３，３４）を点灯するために、該３色ＬＥＤ２０，２１（３３，３４）を構成する３つのＬＥＤの輝度をそれぞれ調整して点灯する構成である。しかしながら本発明はこれに限られず、３色ＬＥＤ２０，２１（３３，３４）を構成する３つのＬＥＤのオン／オフの組み合わせを単に変更することで、３色ＬＥＤ２０，２１（３３，３４）をレーザ光源２が出力するレーザ光に対応した色で点灯する構成とすることもできる。
【００２２】
また、上記各実施形態ではレーザ光源２を備えた顕微鏡１，３０を示しているが、本発明はこれに限られず、水銀ランプ等のその他の照明装置を備えた顕微鏡に適用することも勿論可能である。
また、上記各実施形態では３色ＬＥＤ２０，２１（３３，３４）を用いているが、本発明はこれに限られず、複数の点灯色で点灯可能なその他の点灯手段、例えばランプ光源と色ガラスを組み合わせて構成したフルカラー点灯可能な点灯手段等を用いることもできる。
【００２３】
以上の各実施形態によれば、照明装置から出力されている照明光の波長を直感的に示す安価な表示装置、リモートコントローラ、及び顕微鏡を実現することができる。
【図面の簡単な説明】
【００２４】
【図１】本発明の第１実施形態に係る顕微鏡の構成を示す図である。
【図２】本発明の第１実施形態に係る顕微鏡における制御部のメモリに記憶されているルックアップテーブルの一例を示す図である。
【図３】本発明の第２実施形態に係る顕微鏡の構成を示す図である。
【符号の説明】
【００２５】
１，３０      顕微鏡
２            レーザ光源
３            光走査部
４，３１      顕微鏡本体
５            光検出器
６            制御部
７            ＰＣ
８            リモートコントローラ
１５          メモリ
２０，２１，３３，３４      ３色ＬＥＤ
【図１】
2010020011.tif 000003
【図２】
2010020011.tif 000004
【図３】
2010020011.tif 000005